(57)【要約】【課題】第三者にデータ閲覧用のパスワードの入力を強要された場合であっても、秘匿にすべきデータができるだけ漏洩しないようにするのに好適な情報処理装置等を提供する。【解決手段】情報処理装置２００は、受付部２０１と、記憶部２０２と、提示部２０３とを備え、以下のように構成する。受付部２０１は、第１のパスワードと第２のパスワードを有するユーザから記号列３０１の入力を受け付ける。記憶部２０２には、複数のデータがその種類に分類されて記憶される。提示部２０３は、受付部２０１により受け付けられた記号列３０１が第１のパスワードと一致する場合、記憶部２０２に記憶されるデータのうち第１種に分類されたデータと第２種に分類されたデータとをユーザに提示し、受付部２０１により受け付けられた記号列３０１が第２のパスワードと一致する場合、記憶部２０２に記憶されるデータのうち第２種に分類されたデータをユーザに提示する。【選択図】図３
2011191850.tif 000002
【特許請求の範囲】
【請求項１】
第１のパスワードと第２のパスワードを有するユーザから記号列の入力を受け付ける受付部と、
複数のデータがその種類に分類されて記憶される記憶部と、
前記受付部により受け付けられた記号列が前記第１のパスワードと一致する場合、前記記憶部に記憶されるデータのうち第１種に分類されたデータと第２種に分類されたデータとをユーザに提示し、前記受付部により受け付けられた記号列が前記第２のパスワードと一致する場合、前記記憶部に記憶されるデータのうち第２種に分類されたデータをユーザに提示する提示部と、
を備えることを特徴とする情報処理装置。
【請求項２】
請求項１に記載の情報処理装置であって、
前記データは電子メールであり、
前記ユーザ宛の電子メールをサーバから取得する取得部と、
前記取得部により取得された電子メールの差出元アドレスに基づいて第１種又は第２種かを決定する決定部と、
前記決定部により決定された種類に分類して、前記電子メールを前記記憶部に記憶させる保存部と、
をさらに備えることを特徴とする情報処理装置。
【請求項３】
請求項１又は２に記載の情報処理装置であって、
前記提示部は、前記受付部により受け付けられた記号列が、前記第１のパスワードと第２のパスワードとのいずれとも一致しない場合、データの提示ができない旨を提示する
ことを特徴とする情報処理装置。
【請求項４】
請求項１乃至３のいずれか１項に記載の情報処理装置であって、
前記提示部は、前記受付部により受け付けられた記号列が前記第１のパスワードと一致する場合、
（ａ）当該記号列が受け付けられた時刻が所定の時間帯に含まれれば、前記記憶部に記憶されるデータのうち、第１種に分類されたデータと第２種に分類されたデータとをユーザに提示し、
（ｂ）当該記号列が受け付けられた時刻が所定の時間帯に含まれなければ、第１種に分類されたデータと第２種に分類されたデータとをユーザに提示するのにかえて、データの提示ができない旨を提示する
ことを特徴とする情報処理装置。
【請求項５】
請求項１乃至３のいずれか１項に記載の情報処理装置であって、
前記提示部は、前記受付部により受け付けられた記号列が前記第１のパスワードと一致する場合、
（ａ）当該記号列が受け付けられた時刻が所定の時間帯に含まれれば、前記記憶部に記憶されるデータのうち、第１種に分類されたデータと第２種に分類されたデータとをユーザに提示し、
（ｂ）当該記号列が受け付けられた時刻が所定の時間帯に含まれなければ、第１種に分類されたデータと第２種に分類されたデータとをユーザに提示するのにかえて、第２種に分類されたデータをユーザに提示する
ことを特徴とする情報処理装置。
【請求項６】
受付部と、複数のデータがその種類に分類されて記憶される記憶部と、提示部と、を有する情報処理装置が実行する処理方法であって、
前記受付部が、第１のパスワードと第２のパスワードを有するユーザから記号列の入力を受け付ける受付工程と、
前記提示部が、前記受付部により受け付けられた記号列が前記第１のパスワードと一致する場合、前記記憶部に記憶されるデータのうち第１種に分類されたデータと第２種に分類されたデータとをユーザに提示し、前記受付部により受け付けられた記号列が前記第２のパスワードと一致する場合、前記記憶部に記憶されるデータのうち第２種に分類されたデータをユーザに提示する提示工程と、
を備えることを特徴とする処理方法。
【請求項７】
コンピュータを、
第１のパスワードと第２のパスワードを有するユーザから記号列の入力を受け付ける受付部、
複数のデータがその種類に分類されて記憶される記憶部、
前記受付部により受け付けられた記号列が前記第１のパスワードと一致する場合、前記記憶部に記憶されるデータのうち第１種に分類されたデータと第２種に分類されたデータとをユーザに提示し、前記受付部により受け付けられた記号列が前記第２のパスワードと一致する場合、前記記憶部に記憶されるデータのうち第２種に分類されたデータをユーザに提示する提示部、
として機能させることを特徴とするプログラム。
【発明の詳細な説明】
【技術分野】
【０００１】
本発明は、第三者にデータ閲覧用のパスワードの入力を強要された場合であっても、秘匿にすべきデータができるだけ漏洩しないようにするのに好適な情報処理装置、処理方法、ならびに、プログラムに関する。
【背景技術】
【０００２】
一般的に、情報処理装置は、ユーザの個人情報、アドレス帳、電子メール、又はゲームの履歴等の一部のデータをユーザ自身しか閲覧できないようにするシークレットモードを設定することができる。例えば、特許文献１は、ユーザのプロフィール等のデータをシークレットモードに設定することができ、予め設定したパスワードを入力して認証が成功した場合のみ当該データの閲覧が可能になる技術について開示している。
【先行技術文献】
【特許文献】
【０００３】
【特許文献１】特開２０００−１７６１６９号公報
【発明の概要】
【発明が解決しようとする課題】
【０００４】
しかしながら、シークレットモードが設定されていることが第三者に知られてしまうと、秘匿にしているデータがあるということを第三者に知られてしまうことになる。このような場合に、当該データの閲覧を第三者に強要されると、データを秘匿にすることができないという問題があった。
【０００５】
本発明は、上記のような課題を解決するもので、第三者にデータ閲覧用のパスワードの入力を強要された場合であっても、秘匿にすべきデータができるだけ漏洩しないようにするのに好適な情報処理装置、処理方法、ならびに、プログラムを提供することを目的とする。
【課題を解決するための手段】
【０００６】
本発明の第１の観点に係る情報処理装置は、受付部と、記憶部と、提示部と、を備え、以下のように構成する。なお、本発明の情報処理装置は、当該情報処理装置に格納されるデータを秘匿にする（シークレットモードにする）機能を有する。
【０００７】
受付部は、第１のパスワードと第２のパスワードを有するユーザから記号列の入力を受け付ける。
【０００８】
ここで、第１のパスワードは、シークレットモードを解除するために入力しなければならないパスワードであって、秘匿にしたいデータを閲覧する際に入力するパスワードであるとする。一方、第２のパスワードは、シークレットモードを解除するために入力しなければならないパスワードであるが、第三者に開示してもよいデータを閲覧する際に入力するパスワードであるとする。例えば、ユーザは、予め、第１のパスワード“ＸＸＸＸ”と、第２のパスワード“ＹＹＹＹ”とを情報処理装置に設定し、データの閲覧を希望する際に、キーボートやタッチペン等を用いて、いずれかのパスワードの記号列を入力する。
【０００９】
記憶部には、複数のデータがその種類に分類されて記憶される。
【００１０】
例えば、ユーザは予め、秘匿にしたいデータを第１種データとして、第三者に開示してもよいデータを第２種データとして分類して、記憶部に記憶させておく。
【００１１】
提示部は、受付部により受け付けられた記号列が第１のパスワードと一致する場合、記憶部に記憶されるデータのうち第１種に分類されたデータと第２種に分類されたデータとをユーザに提示し、受付部により受け付けられた記号列が第２のパスワードと一致する場合、記憶部に記憶されるデータのうち第２種に分類されたデータをユーザに提示する。
【００１２】
ここで、第１種に分類されたデータとは、秘匿にしたいデータである第１種データであり、第２種に分類されたデータとは、第三者に開示してもよい第２種データであるとする。この場合、ユーザが第１のパスワード“ＸＸＸＸ”を入力すると、秘匿にしたいデータである第１種データと、第三者に開示してもよい第２種データとがユーザに提示される。一方、ユーザが第２のパスワード“ＹＹＹＹ”を入力すると、第三者に開示してもよい第２種データのみがユーザに提示される。
【００１３】
本発明によれば、入力するパスワードに基づいて異なるデータを提示させることができる。したがって、データを秘匿にする設定を解除するように強要されたとしても、第三者に開示してもよいデータを提示して秘匿の設定が解除されたように思わせることにより、真に秘匿にしたいデータの開示を防ぐことができる。
【００１４】
また、データは電子メールであり、情報処理装置は、取得部と、決定部と、保存部と、をさらに備え、以下のように構成してもよい。
【００１５】
取得部は、ユーザ宛の電子メールをサーバから取得する。
【００１６】
例えば、ユーザが電子メールの受信を行うように指示すると、取得部はサーバと通信を行い、ユーザ宛の電子メールがサーバに届いているかどうかを確認する。そしてユーザ宛の電子メールが届いている場合には、当該電子メールを受信する。
【００１７】
決定部は、取得部により取得された電子メールの差出元アドレスに基づいて第１種又は第２種かを決定する。
【００１８】
例えば、秘匿にしておきたい電子メールの差出元アドレスは第１グループに、第三者に閲覧されてもよい電子メールの差出元アドレスは第２グループに予め分類して登録されているとする。そして、秘匿にしたい電子メールは第１種データ、第三者に開示してもよい電子メールは第２種データに分類されて記憶部に記憶されるとする。決定部は、まず、受信した電子メールの差出元アドレスが、どのグループに属するか判断する。受信した電子メールの差出元アドレスが第１グループに属すると判断された場合、決定部は、当該差出元アドレスを有する電子メールを第１種データであると決定する。一方、受信した電子メールの差出元アドレスが第２グループに属すると判断された場合、決定部は、当該差出元アドレスを有する電子メールを第２種データであると決定する。
【００１９】
保存部は、決定部により決定された種類に分類して、電子メールを記憶部に記憶させる。
【００２０】
すなわち、保存部は、決定部が第１種データと決定した電子メールを、第１種データとして記憶部に格納させ、決定部が第２種データと決定した電子メールを、第２種データとして記憶部に格納させる。
【００２１】
本発明によれば、電子メールの受信の度に設定を行わなくても、所定の差出元アドレスの電子メールを秘匿にする設定をすることができる。
【００２２】
また、提示部は、受付部により受け付けられた記号列が、第１のパスワードと第２のパスワードとのいずれとも一致しない場合、データの提示ができない旨を提示するようにしてもよい。
【００２３】
例えば、ユーザが入力した記号列が第１及び第２のパスワードではない“ＺＺＺＺ”であった場合、提示部は、入力された記号列がパスワードとして正しくない旨のメッセージをユーザに提示する。
【００２４】
本発明によれば、ユーザによる入力が予め設定されたパスワードではないことを、ユーザに知らせることができる。
【００２５】
また、提示部は、受付部により受け付けられた記号列が第１のパスワードと一致する場合、
（ａ）当該記号列が受け付けられた時刻が所定の時間帯に含まれれば、記憶部に記憶されるデータのうち、第１種に分類されたデータと第２種に分類されたデータとをユーザに提示し、
（ｂ）当該記号列が受け付けられた時刻が所定の時間帯に含まれなければ、第１種に分類されたデータと第２種に分類されたデータとをユーザに提示するのにかえて、データの提示ができない旨を提示するようにしてもよい。
【００２６】
ここで、所定の時間帯は、ユーザにより予め指定される時間帯である。例えば、所定の時間帯が“午後”と指定され、ユーザが第１のパスワードである記号列“ＸＸＸＸ”を“１３時００分”に入力したとする。この場合、提示部は、記号列が受け付けられた時刻が所定の時間帯に含まれると判断し、秘匿にしたい第１種データ及び第三者に開示してもよい第２種データを提示する。一方、ユーザが第１のパスワード“ＸＸＸＸ”を“１１時００に入力した場合、提示部は、記号列が受け付けられた時刻が所定の時間帯に含まれないと判断し、データを提示できない旨のメッセージをユーザに提示する。
【００２７】
本発明によれば、予め設定した時間帯でないと秘匿にしたいデータを閲覧することができないので、秘匿にしたいデータをより漏洩しにくくすることができる。
【００２８】
あるいは、提示部は、受付部により受け付けられた記号列が第１のパスワードと一致する場合、
（ａ）当該記号列が受け付けられた時刻が所定の時間帯に含まれれば、記憶部に記憶されるデータのうち、第１種に分類されたデータと第２種に分類されたデータとをユーザに提示し、
（ｂ）当該記号列が受け付けられた時刻が所定の時間帯に含まれなければ、第１種に分類されたデータと第２種に分類されたデータとをユーザに提示するのにかえて、第２種に分類されたデータをユーザに提示するようにしてもよい。
【００２９】
例えば、所定の時間帯が“午後”と指定され、ユーザが第１のパスワードである記号列“ＸＸＸＸ”を“１３時００分”に入力した場合、提示部は、記号列が受け付けられた時刻が所定の時間帯に含まれると判断し、秘匿にしたい第１種データ及び第三者に開示してもよい第２種データを提示する。一方、ユーザが第１のパスワード“ＸＸＸＸ”を“１１時００分”に入力した場合、提示部は、記号列が受け付けられた時刻が所定の時間帯に含まれないと判断し、第三者に開示してもよい第２種データのみをユーザに提示する。
【００３０】
本発明によれば、２つのパスワードが設定されていることが、第三者に知られてしまい、２つのパスワードを入力してデータを秘匿にする設定を解除するよう強要されたとしても、所定の時間帯でなければ第三者に開示してもよいデータを提示することにより、真に秘匿にしたいデータを漏洩しにくくすることができる。
【００３１】
本発明の第２の観点に係る処理方法は、受付部と、複数のデータがその種類に分類されて記憶される記憶部と、提示部と、を有する情報処理装置が実行する処理方法であって、受付工程と、提示工程と、を備え、以下のように構成する。
【００３２】
受付工程において、受付部が、第１のパスワードと第２のパスワードを有するユーザから記号列の入力を受け付ける。
【００３３】
提示工程において、提示部が、受付部により受け付けられた記号列が第１のパスワードと一致する場合、記憶部に記憶されるデータのうち第１種に分類されたデータと第２種に分類されたデータとをユーザに提示し、受付部により受け付けられた記号列が第２のパスワードと一致する場合、記憶部に記憶されるデータのうち第２種に分類されたデータをユーザに提示する。
【００３４】
本発明のその他の観点に係るプログラムは、コンピュータを上記情報処理装置として機能させ、コンピュータに上記処理方法を実行させるように構成する。
【００３５】
また、本発明のプログラムは、コンパクトディスク、フレキシブルディスク、ハードディスク、光磁気ディスク、ディジタルビデオディスク、磁気テープ、半導体メモリ等のコンピュータ読取可能な情報記録媒体に記録することができる。
【００３６】
上記プログラムは、プログラムが実行されるコンピュータとは独立して、コンピュータ通信網を介して配布・販売することができる。また、上記情報記録媒体は、コンピュータとは独立して配布・販売することができる。
【発明の効果】
【００３７】
本発明によれば、第三者にデータ閲覧用のパスワードの入力を強要された場合であっても、秘匿にすべきデータができるだけ漏洩しないようにするのに好適な情報処理装置、処理方法、ならびに、プログラムを提供することができる。
【図面の簡単な説明】
【００３８】
【図１】本発明の実施形態に係る情報処理装置が実現される典型的な携帯型情報処理装置の概要構成を示す模式図である。
【図２】本発明の携帯型情報処理装置の外観を示す図である。
【図３】実施形態１に係る情報処理装置の概要構成を示す図である。
【図４】実施形態１に係る情報処理装置が提示する第１種及び第２種データを説明するための図である。
【図５】実施形態１に係る情報処理装置が提示する第２種データを説明するための図である。
【図６】実施形態１に係る情報処理装置がプレイ履歴テーブルを表示する様子を示す図である。
【図７】実施形態１に係る情報処理装置が提示するメッセージを説明するための図である。
【図８】実施形態１に係る情報処理装置の各部が行う提示処理を説明するためのフローチャートである。
【図９】実施形態２に係る情報処理装置の各部が行う提示処理を説明するためのフローチャートである。
【図１０】実施形態３に係る情報処理装置の各部が行う提示処理を説明するためのフローチャートである。
【図１１】実施形態４に係る情報処理装置の概要構成を示す図である。
【図１２】差出元アドレスとグループとの対応関係を示す図である。
【図１３】実施形態４に係る情報処理装置が第１及び第２グループのアドレスを表示する様子を示す図である。
【図１４】実施形態４に係る情報処理装置が第２グループのアドレスを表示する様子を示す図である。
【図１５】実施形態４に係る情報処理装置が受信メールテーブルを表示する様子を示す図である。
【図１６】実施形態４に係る情報処理装置が受信メールを表示する様子を示す図である。
【図１７】実施形態４に係る情報処理装置の各部が行うメール取得処理を説明するためのフローチャートである。
【図１８】実施形態４に係る情報処理装置が差出元アドレスのグループを設定する様子を示す図である。
【発明を実施するための形態】
【００３９】
本発明の情報処理装置は、データを秘匿にする機能を有し、予め設定されたパスワードが入力されると、秘匿にされたデータを提示するものである。データを提示する手法は複数あり、各手法について実施形態１乃至４として説明する。
【００４０】
実施形態１では、ユーザが入力したパスワードの種類に基づいて、秘匿にしたいデータ又は第三者に開示してもよいデータを提示する手法について説明する。
実施形態２では、実施形態１の手法において、ユーザがパスワードを入力した時刻が所定の時間帯に含まれる場合、秘匿にしたいデータを提示し、ユーザがパスワードを入力した時刻が所定の時間帯に含まれない場合、データの提示ができない旨を提示する手法について説明する。
実施形態３では、実施形態１の手法において、ユーザがパスワードを入力した時刻が所定の時間帯に含まれる場合、秘匿にしたいデータを提示し、ユーザがパスワードを入力した時刻が所定の時間帯に含まれない場合、第三者に開示してもよいデータを提示する手法について説明する。
実施形態４では、実施形態１乃至３の手法において、提示するデータを電子メールとし、電子メールを差出元のアドレスに基づいて秘匿するデータと第三者に開示してもよいデータとに分類する手法について説明する。
【００４１】
以下、これらの実施形態の情報処理装置が実現される典型的な携帯型情報処理装置について説明する。
なお、以下では理解を容易にするため、携帯型情報処理装置に本発明が適用される実施形態を説明するが、各種のコンピュータ、ＰＤＡ、携帯電話、音楽プレイヤなどにおいても同様に本発明を適用することができる。すなわち、以下に説明する実施形態は説明のためのものであり、本願発明の範囲を制限するものではない。したがって、当業者であれば、これらの各要素もしくは全要素をこれと等しいものに置換した実施形態を採用することが可能であるが、これらの実施形態も本発明の範囲に含まれる。
【００４２】
図１は、本発明の各実施形態に係る情報処理装置が実現される典型的な携帯型情報処理装置の概要構成を示す模式図である。また、図２に携帯型情報処理装置の外観図を示す。以下、これらの図を参照して説明する。
【００４３】
携帯型情報処理装置１は、処理制御部１０と、コネクタ１１と、カートリッジ１２と、無線通信部１３と、通信コントローラ１４と、サウンドアンプ１５と、スピーカ１６と、マイク１７と、操作キー１８と、第１の表示部１９と、第２の表示部２０と、タッチパネル２１と、を備える。
【００４４】
処理制御部１０は、ＣＰＵ（Central Processing Unit）コア１０ａと、画像処理部１０ｂと、ＶＲＡＭ（Video Random Access Memory）１０ｃと、ＷＲＡＭ（Work RAM）１０ｄと、ＬＣＤ（Liquid Crystal Display）コントローラ１０ｅと、タッチパネルコントローラ１０ｆと、を備える。
【００４５】
ＣＰＵコア１０ａは、携帯型情報処理装置１全体の動作を制御し、各構成要素と接続され制御信号やデータをやりとりする。具体的には、カートリッジ１２がコネクタ１１に装着された状態で、カートリッジ１２内のＲＯＭ（Read Only Memory）１２ａに記憶されたプログラムやデータを読み出して、所定の処理を実行する。
【００４６】
画像処理部１０ｂは、カートリッジ１２内のＲＯＭ  １２ａから読み出されたデータや、ＣＰＵコア１０ａにて処理されたデータを加工処理した後、これをＶＲＡＭ  １０ｃに格納する。
【００４７】
ＶＲＡＭ  １０ｃは、表示用の情報を記憶するフレームメモリであり、画像処理部１０ｂ等により加工された画像情報を記憶する。
【００４８】
ＷＲＡＭ  １０ｄは、ＣＰＵコア１０ａがプログラムに従った各種処理を実行する際に必要となるワークデータ等を記憶する。
【００４９】
ＬＣＤコントローラ１０ｅは、第１の表示部１９及び第２の表示部２０を制御し、所定の表示用画像を表示させる。例えば、ＬＣＤコントローラ１０ｅは、ＶＲＡＭ  １０ｃに記憶された画像情報を、所定の同期タイミングで表示信号に変換し、第１の表示部１９に出力する。また、ＬＣＤコントローラ１０ｅは、第２の表示部２０に所定の指示アイコン等を表示する。
【００５０】
タッチパネルコントローラ１０ｆは、タッチペン２２やユーザの指によるタッチパネル２１への接触（タッチ）を検出する。例えば、第２の表示部２０に所定の指示アイコン等が表示されている状態で、タッチパネル２１上の接触、及びその位置等を検出する。
【００５１】
コネクタ１１は、カートリッジ１２と脱着自在に接続可能な端子であり、カートリッジ１２が接続された際に、カートリッジ１２との間で所定のデータを送受信する。
【００５２】
カートリッジ１２は、ＲＯＭ  １２ａと、ＲＡＭ（Random Access Memory）１２ｂと、を備える。
ＲＯＭ  １２ａには、ゲームを実現するためのプログラムとゲームに付随する画像データや音声データ等が記憶される。
ＲＡＭ  １２ｂには、ゲームの進行状況等を示す種々のデータが記憶される。
【００５３】
無線通信部１３は、他の携帯型情報処理装置１の無線通信部１３との間で、無線通信を行うユニットであり、図示せぬアンテナ（内蔵アンテナ等）を介して所定のデータを送受信する。
なお、無線通信部１３は、所定のアクセスポイントとの間で、無線ＬＡＮ通信を行うこともできる。また、無線通信部１３には、固有のＭＡＣ（Media Access Control）アドレスが採番されている。
【００５４】
通信コントローラ１４は、無線通信部１３を制御し、所定のプロトコルに沿って、処理制御部１０と他の携帯型情報処理装置１の処理制御部１０との間で行われる通信の仲立ちをする。
【００５５】
サウンドアンプ１５は、処理制御部１０にて生成された音声信号を増幅し、スピーカ１６に供給する。
【００５６】
スピーカ１６は、例えば、ステレオスピーカ等からなり、サウンドアンプ１５にて増幅された音声信号に従って、所定の楽曲音や効果音等を出力する。
【００５７】
マイク１７は、ユーザの声等のアナログ信号を受け付け、受け付けた信号は処理制御部１０でミキシング等の処理がされる。
【００５８】
操作キー１８は、携帯型情報処理装置１に適宜配置された方向キー１８ａやボタン１８ｂ等から構成され、ユーザの操作に従って、所定の指示入力を受け付ける。操作キー１８には、音量を調節するためのボタンや、つまみ等も含まれる。
【００５９】
第１の表示部１９及び第２の表示部２０は、ＬＣＤ等からなり、ＬＣＤコントローラ１０ｅに制御され、ゲーム画像等を適宜表示する。
【００６０】
タッチパネル２１は、第２の表示部２０の前面に重畳して配置され、タッチペン２２やユーザの指の接触による入力を受け付ける。タッチパネル２１は、例えば、感圧式のタッチセンサパネル等からなり、ユーザの指等の圧力を検出し、接触状態、及び、接触状態から非接触状態への移行等を検出する。なお、タッチパネル２１は、他に静電容量の変化等から、ユーザの指等の接触を検出してもよい。
【００６１】
なお、各実施形態に係る情報処理装置は、上述した典型的な携帯型情報処理装置１上に実現されるが、一般的なコンピュータやゲーム装置上に実現することもでき、これらの実施形態も本発明の範囲に含まれる。一般的なコンピュータやゲーム装置は、上記携帯型情報処理装置１と同様に、ＣＰＵコアや、ＶＲＡＭ、ＷＲＡＭ、を備える。また、通信部として、例えば、ＬＡＮ（Local Area Network）を構成する際に用いられる１０ＢＡＳＥ−Ｔ／１００ＢＡＳＥ−Ｔなどの規格に準拠するＮＩＣ(Network Interface Controller)、記憶装置としてハードディスクを有する他、ＤＶＤ−ＲＯＭや、光磁気ディスク等が利用できるようになっている。また、タッチパネルの代わりに、キーボードやマウスなどを利用する。そして、プログラムをインストールした後に、そのプログラムを実行させると、情報処理装置として機能させることができる。
【００６２】
以下、上記携帯型情報処理装置１において実現される実施形態１乃至４に係る情報処理装置の機能について、図１乃至図１７を参照して説明する。ゲーム用のプログラム及びデータを記憶したカートリッジ１２をコネクタ１１に装着して、携帯型情報処理装置１の電源を投入することにより、当該プログラムが実行され、実施形態１乃至４に係る情報処理装置が実現される。
【００６３】
（実施形態１）
実施形態１の情報処理装置２００は、ユーザが入力したパスワードの種類に基づいて、秘匿にしたいデータ又は第三者に開示してもよいデータを提示する。
実施形態１の情報処理装置２００は、図３に示すように、受付部２０１と、記憶部２０２と、提示部２０３と、を備える。
【００６４】
受付部２０１は、第１及び第２のパスワードを有するユーザから、記号列３０１の入力を受け付ける。第１及び第２のパスワードはユーザが予め設定できるものとする。例えば、図２に示すように、パスワードの入力を促すメッセージ２３が表示されると、ユーザはタッチペン２２等を用いてタッチパネル２１に記号列を入力し、受付部２０１は当該記号列の入力を受け付ける。
したがって、ＣＰＵコア１０ａ、タッチパネルコントローラ１０ｆ、操作キー１８、及びタッチパネル２１が協働して、受付部２０１として機能する。
【００６５】
なお、上記の第１又は第２のパスワードは、以下のように設定されるようにしてもよい。
例えば、ユーザが予め設定した数字と、ユーザがパスワードを入力する際の時刻、日付、又は西暦とを足し合わせた数字を第１又は第２のパスワードとする。以下、ユーザが予め設定した数字を“１２３４”とする。
（ａ）ユーザが予め設定した数字と、入力時の時刻を足し合わせて第１又は第２のパスワードを求める場合、ユーザがパスワードを入力する時の時刻が１７時００分であるとすると、パスワードは、１２３４＋１７００＝２９３４と求めることができる。
（ｂ）ユーザが予め設定した数字と、入力時の日付を足し合わせて第１又は第２のパスワードを求める場合、ユーザがパスワードを入力する時の日付が２月２０日であるとすると、パスワードは、１２３４＋０２２０＝１４５４と求めることができる。
（ｃ）ユーザが予め設定した数字と、入力時の西暦を足し合わせて第１又は第２のパスワードを求める場合、ユーザがパスワードを入力する時の西暦が２０１０年であるとすると、パスワードは、１２３４＋２０１０＝３２４４と求めることができる。
【００６６】
また、さらに、パスワード入力時が、ユーザが予め設定した休日に該当する場合は、ユーザが設定した所定の値（以下、「休日係数」という）を加算するようにしてもよい。例えば、ユーザが休日を日曜日、休日係数を“３”と設定し、上記（ａ）のように入力時の時刻に基づいて第１又は第２のパスワードを設定する場合、ユーザがパスワードを入力した曜日が日曜日であり、時間が１７時００分であったとすると、パスワードは、１２３４＋１７００＋３＝２９３７と求めることができる。日曜日でなかった場合は、上記（ａ）に示すように、１２３４＋１７００＝２９３４と求められる。
また、加算して桁が繰り上がる場合（例えば、１２３４＋０８００）、繰り上がった分を次の位に加算してもよいし（例えば、１２３４＋０８００＝２０３４）、繰り上がった分は０と見なすようにしてもよい（１２３４＋０８００＝１０３４）。
【００６７】
上記に示すように第１又は第２のパスワードを設定すると、第１又は第２のパスワードは、入力時の時刻、日付、西暦、又は休日か否かにより変化するので、第三者に知られにくくすることができる。
以下、第１及び第２のパスワードは、ユーザが予め設定した数字と入力時の日付とを足し合わせることにより求められるとし（上記（ｂ））、第１のパスワード用に設定した数字を“１２３４”、第２のパスワード用に設定した数字を“４３２１”とする。そして、パスワードを入力する日付を２月２０日として、第１のパスワードを“１４５４（＝１２３４＋０２２０）”、第２のパスワードを“４５４１（＝４３２１＋０２２０）”と設定されているとする。
【００６８】
記憶部２０２には、複数のデータがその種類に分類されて記憶される。例えば、情報処理装置２００は、ゲームプログラムを実行し、当該ゲームのプレイ履歴を保存する機能を有するとする。ユーザは、秘匿にしたいプレイ履歴のデータと、第三者に開示してもよいプレイ履歴のデータとを分類して記憶部２０２に記憶させておく。以下、秘匿にしたいデータを「第１種データ２０２ａ」、第三者に開示してもよいデータを「第２種データ２０２ｂ」とする。
したがって、ＷＲＡＭ  １０ｄが、記憶部２０２として機能する。
【００６９】
提示部２０３は、受付部２０１により受け付けられた記号列３０１が第１のパスワード又は第２のパスワードに一致するか否かを判断する。
記号列３０１が第１のパスワードと一致する場合、提示部２０３は、記憶部２０２に記憶されるデータのうち第１種データ２０２ａと、第２種データ２０２ｂとをユーザに提示する。
記号列３０１が第２のパスワードと一致する場合、提示部２０３は、記憶部２０２に記憶されるデータのうち第２種データ２０２ｂをユーザに提示する。
記号列３０１がいずれのパスワードとも一致しない場合、提示部２０３は、データを提示できない旨を提示する。
したがって、ＣＰＵコア１０ａ、画像処理部１０ｂ、ＶＲＡＭ  １０ｃ、ＷＲＡＭ  １０ｄ、ＬＣＤコントローラ１０ｅ、第１の表示部１９、及び第２の表示部２０が協働して、提示部２０３として機能する。
【００７０】
例えば、情報処理装置２００がユーザによりプレイ履歴提示の指示を受け、パスワードの認証が成功したとすると、提示部２０３により、図４又は図５のプレイ履歴テーブル２４が第２の表示部２０に表示される（図６）。プレイ履歴テーブル２４には、ユーザがゲームを行った日時（プレイ日時２４ａ）と、ゲームを行った時の成績（スコア２４ｂ）とが含まれる。ここで、ユーザは、プレイ履歴２４２、２４３を秘匿にしたいデータとして予め設定した場合、プレイ履歴２４２、２４３は、第１種データ２０２ａとして記憶部２０２に記憶される。一方、秘匿にしたいデータとして設定されていないプレイ履歴２４１、２４４は、第２種データ２０２ｂとして、記憶部２０２に記憶される。
【００７１】
このような場合に、ユーザが第１のパスワード“１４５４”を入力すると、提示部２０３は、第１種データ２０２ａに分類されたプレイ履歴２４２、２４３と、第２種データ２０２ｂに分類されたプレイ履歴２４１、２４４とが含まれるプレイ履歴テーブル２４（図４）を提示する。一方、ユーザが第２のパスワード“４５４１”を入力すると、提示部２０３は、第２種データ２０２ｂに分類されたプレイ履歴２４１、２４４のみが含まれるプレイ履歴テーブル２４（図５）を提示する。また、ユーザが入力した記号列３０１がいずれのパスワードとも一致しない場合は、提示部２０３は、図７のメッセージ２５を提示する。
【００７２】
以下、実施形態１に係る情報処理装置２００の各部が行う動作について説明する。情報処理装置２００に電源が投入され、ユーザによりプレイ履歴を提示する指示がなされると、ＣＰＵコア１０ａは、図２に示すような画面を表示させ、図８のフローチャートに示す提示処理を開始する。
【００７３】
受付部２０１は、ユーザから記号列３０１を受け付けたか否かを判断する（ステップＳ１０１）。受付部２０１が記号列３０１を受け付けたと判断した場合（ステップＳ１０１；Ｙｅｓ）、提示部２０３は、記号列３０１が第１のパスワードか否かを判断する（ステップＳ１０２）。一方、受付部２０１が記号列３０１を受け付けたと判断しなかった場合（ステップＳ１０１；Ｎｏ）、記号列３０１が受け付けられるまでそのまま待機する。
【００７４】
提示部２０３が、記号列３０１が第１のパスワードであると判断した場合（ステップＳ１０２；Ｙｅｓ）、提示部２０３は第１種データ２０２ａと第２種データ２０２ｂとをユーザに提示する（ステップＳ１０３）。例えば、提示部２０３は、図４に示すプレイ履歴テーブル２４を第２の表示部２０に表示させる。一方、記号列３０１が第１のパスワードでないと判断した場合（ステップＳ１０２；Ｎｏ）、提示部２０３は、当該記号列３０１が第２のパスワードであるか否かを判断する（ステップＳ１０４）。
【００７５】
提示部２０３が、記号列３０１が第２のパスワードであると判断した場合（ステップＳ１０４；Ｙｅｓ）、第２種データのみをユーザに提示する（ステップＳ１０５）。例えば、提示部２０３は、図５に示すプレイ履歴テーブル２４を第２の表示部２０に表示させる。一方、提示部２０３が、記号列３０１が第２のパスワードでないと判断した場合（ステップＳ１０４；Ｎｏ）、提示部２０３は、データを提示できない旨のエラーメッセージを提示する（ステップＳ１０６）。例えば、提示部２０３は、図７に示すメッセージ２５を第１の表示部１９に表示させる。
【００７６】
本実施形態によれば、入力するパスワードに基づいて異なるデータを提示させることができる。したがって、データを秘匿にする設定を解除するように強要されたとしても、第三者に開示してもよいデータを提示して秘匿の設定が解除されたように思わせることにより、真に秘匿にしたいデータの開示を防ぐことができる。
【００７７】
（実施形態２）
実施形態２の情報処理装置２００は、実施形態１の手法において、ユーザがパスワードを入力した時刻が所定の時間帯に含まれる場合、秘匿にしたいデータを提示し、ユーザがパスワードを入力した時刻が所定の時間帯に含まれない場合、データの提示ができない旨を提示する。
実施形態２の情報処理装置２００は、実施形態１の情報処理装置２００と同様の構成要素を有し、受付部２０１及び記憶部２０２の機能は同じである。以下、異なる機能を有する提示部２０３について説明する。
【００７８】
提示部２０３は、受付部２０１により受け付けられた記号列３０１が第１のパスワード又は第２のパスワードに一致するか否かを判断する。
記号列３０１が第１のパスワードと一致する場合、提示部２０３はさらに、記号列３０１が受付部２０１により受け付けられた時刻（以下、「受付時刻」という）が所定の時間帯に含まれるか否かを判断する。ここで、所定の時間帯はユーザが予め設定することができる値であり、例えば、“午前”、“午後”、“平日”、あるいは“休日”、といったように任意の時間帯を設定できる。受付時刻が所定の時間帯に含まれる場合、提示部２０３は、記憶部２０２に記憶される第１種データ２０２ａと第２種データ２０２ｂとをユーザに提示する。一方、受付時刻が所定の時間帯に含まれない場合、提示部２０３は、データの提示ができない旨のメッセージを提示する。
記号列３０１が第２のパスワードと一致する場合、提示部２０３は、第２種データ２０２ｂをユーザに提示する。
記号列３０１がいずれのパスワードとも一致しない場合、提示部２０３は、データを提示できない旨を提示する。
したがって、ＣＰＵコア１０ａ、画像処理部１０ｂ、ＶＲＡＭ  １０ｃ、ＷＲＡＭ  １０ｄ、ＬＣＤコントローラ１０ｅ、第１の表示部１９、及び第２の表示部２０が協働して、提示部２０３として機能する。
【００７９】
以下、実施形態２に係る情報処理装置２００の各部が行う動作について説明する。情報処理装置２００に電源が投入され、ユーザによりプレイ履歴を提示する指示がなされると、ＣＰＵコア１０ａは、図２に示すような画面を表示させ、図９のフローチャートに示す提示処理を開始する。なお、図９のフローチャートにおいて、図８と同じステップ番号が付されているステップは、図８のフローチャートにおける処理と同様の処理を行う。
【００８０】
ステップＳ１０２において、受付部２０１により受け付けられた記号列３０１が第１のパスワードであると判断された場合（ステップＳ１０２；Ｙｅｓ）、提示部２０３は、記号列３０１の受付時刻が所定の時間帯に含まれるか否かを判断する（ステップＳ２０１）。受付時刻が所定の時間帯に含まれると判断された場合（ステップＳ２０１；Ｙｅｓ）、提示部２０３は、記憶部２０２に記憶される第１種データ２０２ａと第２種データ２０２ｂとをユーザに提示する（ステップＳ１０３）。例えば、ユーザが所定の時間帯を“午後”と設定し、受付時刻が“１３時００分”であった場合、提示部２０３は、受付時刻が所定の時間帯に含まれると判断し、プレイ履歴２４１〜２４４を含むプレイ履歴テーブル２４（図４）を第２の表示部２０に表示させる。
【００８１】
一方、受付時刻が所定の時間帯に含まれないと判断された場合（ステップＳ２０１；Ｎｏ）、提示部２０３は、データの提示ができない旨のメッセージを提示する（ステップＳ１０６）。例えば、受付時刻が“１１時００分”であった場合、提示部２０３は、受付時刻が所定の時間帯に含まれないと判断し、図７に示すようにメッセージ２５を第１の表示部１９に表示させる。
【００８２】
本実施形態によれば、予め設定した時間帯でないと、秘匿の状態にしたいデータを閲覧することができないので、秘匿にしたいデータをより漏洩しにくくすることができる。
【００８３】
（実施形態３）
実施形態３の情報処理装置２００は、実施形態１の手法において、ユーザがパスワードを入力した時刻が所定の時間帯に含まれる場合、秘匿にしたいデータを提示し、ユーザがパスワードを入力した時刻が所定の時間帯に含まれない場合、第三者に開示してもよいデータを提示する。
実施形態３の情報処理装置２００は、実施形態１の情報処理装置２００と同様の構成要素を有し、受付部２０１及び記憶部２０２の機能は同じである。以下、異なる機能を有する提示部２０３について説明する。
【００８４】
提示部２０３は、受付部２０１により受け付けられた記号列３０１が第１のパスワード又は第２のパスワードに一致するか否かを判断する。
記号列３０１が第１のパスワードと一致する場合、提示部２０３はさらに、記号列３０１の受付時刻が所定の時間帯に含まれるか否かを判断する。受付時刻が所定の時間帯に含まれる場合、記憶部２０２に記憶される第１種データ２０２ａと第２種データ２０２ｂとをユーザに提示する。一方、受付時刻が所定の時間帯に含まれない場合、第２種データ２０２ｂをユーザに提示する。
記号列３０１が第２のパスワードと一致する場合、提示部２０３は、第２種データ２０２ｂをユーザに提示する。
記号列３０１がいずれのパスワードとも一致しない場合、提示部２０３は、データを提示できない旨を提示する。
したがって、ＣＰＵコア１０ａ、画像処理部１０ｂ、ＶＲＡＭ  １０ｃ、ＷＲＡＭ  １０ｄ、ＬＣＤコントローラ１０ｅ、第１の表示部１９、及び第２の表示部２０が協働して、提示部２０３として機能する。
【００８５】
以下、実施形態３に係る情報処理装置２００の各部が行う動作について説明する。情報処理装置２００に電源が投入され、ユーザによりプレイ履歴を提示する指示がなされると、ＣＰＵコア１０ａは、図２に示すような画面を表示させ、図１０のフローチャートに示す提示処理を開始する。なお、図１０のフローチャートにおいて、図８と同じステップ番号が付されているステップは、図８のフローチャートにおける処理と同様の処理を行う。
【００８６】
ステップＳ１０２において、受付部２０１により受け付けられた記号列３０１が第１のパスワードであると判断された場合（ステップＳ１０２；Ｙｅｓ）、提示部２０３は、記号列３０１の受付時刻が所定の時間帯に含まれるか否かを判断する（ステップＳ３０１）。受付時刻が所定の時間帯に含まれると判断された場合（ステップＳ３０１；Ｙｅｓ）、提示部２０３は、記憶部２０２に記憶される第１種データ２０２ａと第２種データ２０２ｂとをユーザに提示する（ステップＳ１０３）。例えば、ユーザが所定の時間帯を“午後”と設定し、受付時刻が“１３時００分”であった場合、提示部２０３は、受付時刻が所定の時間帯に含まれると判断し、プレイ履歴２４１〜２４４を含むプレイ履歴テーブル２４（図４）を第２の表示部２０に表示させる。
【００８７】
一方、受付時刻が所定の時間帯に含まれないと判断された場合（ステップＳ３０１；Ｎｏ）、提示部２０３は、記憶部２０２に記憶される第２種データ２０２ｂを提示する（ステップＳ１０５）。例えば、受付時刻が“１１時００分”であった場合、提示部２０３は、受付時刻が所定の時間帯に含まれないと判断し、プレイ履歴２４１、２４４を含むプレイ履歴テーブル２４（図５）を第２の表示部２０に表示させる。
【００８８】
本実施形態によれば、２つのパスワードが設定されていることが、第三者に知られてしまい、２つのパスワードを入力してデータを秘匿にする設定を解除するよう強要されたとしても、所定の時間帯でなければ第三者に開示してもよいデータを提示することにより、真に秘匿にしたいデータを漏洩しにくくすることができる。
【００８９】
（実施形態４）
実施形態４の情報処理装置２００は、実施形態１乃至３の情報処理装置２００において、提示するデータを電子メールとし、電子メールを差出元のアドレスに基づいて秘匿するデータと第三者に開示してもよいデータとに分類する。
実施形態４の情報処理装置２００は、図１１に示すように、受付部２０１と、記憶部２０２と、提示部２０３と、取得部２０４と、決定部２０５と、保存部２０６と、を備える。本実施形態の受付部２０１、記憶部２０２、及び提示部２０３は、実施形態１乃至３のいずれかのものと同様の機能を有する。以下、異なる機能を有する取得部２０４、決定部２０５、及び保存部２０６について説明する。
【００９０】
取得部２０４は、ユーザ宛の電子メールをサーバから取得する。例えば、ユーザがメール受信の指示を情報処理装置２００に入力すると、取得部２０４は、サーバに接続し、サーバに当該ユーザ宛の電子メールがある場合は、サーバから当該電子メールを読込む。
したがって、ＣＰＵコア１０ａ、ＷＲＡＭ  １０ｄ、無線通信部１３、及び通信コントローラ１４が協働して取得部２０４として機能する。
【００９１】
決定部２０５は、取得部２０４により取得された電子メールの差出元アドレスに基づいて、当該電子メールを第１種データ２０２ａ又は第２種データ２０２ｂかを決定する。ここで、差出元アドレスは、ユーザにより予め第１又は第２のグループに分類されて、図１２に示すようなテーブル（以下、「アドレステーブル２６」という）に登録されているものとする。アドレステーブル２６は、差出元アドレス２６ａと分類されるグループ２６ｂとの対応関係を示すテーブルであり、ＷＲＡＭ  １０ｄに格納されているとする。例えば、秘匿にする第１種データ２０２ａとして保存したい電子メールの差出元アドレスは第１グループに登録し、第三者に開示してもよい第２種データ２０２ｂとして保存したい電子メールの差出元アドレスは第２グループに登録しておく。
【００９２】
決定部２０５は、アドレステーブル２６を参照し、受信した電子メールの差出元アドレスが第１グループに属する場合、受信した電子メールの種類を第１種データ２０２ａと決定し、受信した電子メールの差出元アドレスが第２グループに属する場合、受信した電子メールの種類を第２種データ２０２ｂと決定する。例えば、差出元アドレスが“YYY@yyy”の場合、図１２のアドレステーブル２６では、“YYY@yyy”は第１グループに分類されているので、決定部２０５は、“YYY@yyy”が差出元アドレスの電子メールの種類を第１種データ２０２ａと決定する。一方、差出元アドレスが“XXX@xxx”、“ZZZ@zzz”の場合、図１２のアドレステーブル２６では、“XXX@xxx”、“ZZZ@zzz”は第２グループに分類されているので、決定部２０５は、“XXX@xxx”、“ZZZ@zzz”が差出元アドレスの電子メールの種類を第２種データ２０２ｂと決定する。
したがって、ＣＰＵコア１０ａが、決定部２０５として機能する。
【００９３】
保存部２０６は、決定部２０５により決定された種類に分類して、電子メールを記憶部２０２に記憶させる。例えば、取得部２０４が差出元アドレス“YYY@yyy”の電子メールを取得し、決定部２０５が取得した電子メールを第１種データ２０２ａと決定すると、保存部２０６は、当該電子メールを第１種データ２０２ａとして記憶部２０２に記憶させる。一方、取得部２０４が差出元アドレス“XXX@xxx”の電子メールを取得し、決定部２０５が取得した電子メールを第２種データ２０２ｂと決定すると、保存部２０６は、当該電子メールを第２種データ２０２ｂとして記憶部２０２に記憶させる。
したがって、ＣＰＵコア１０ａが、保存部２０５として機能する。
【００９４】
そして、上記のように記憶部２０２に記憶された電子メールは、提示部２０３によって以下のように提示される。なお、以下では、実施形態１における提示部２０３がデータを提示する場合を例に説明する。
【００９５】
例えば、提示部２０３は、図１３又は図１４に示すような、電子メールのアドレスの一覧（以下、「受信メールテーブル２７」という）を、図１５に示すように第２の表示部２０に表示する。受信メールテーブル２７には、電子メールの差出元アドレス（差出元アドレス２７ａ）と、電子メールを受信した日時（受信日時２７ｂ）とが含まれる。
ユーザが、第１のパスワードを入力した場合、提示部２０３は、第１種データ２０２ａに分類された電子メールの受信履歴２７２と、第２種データ２０２ｂに分類された電子メールの受信履歴２７１、２７３とが含まれる受信メールテーブル２７（図１３）を提示する。一方、ユーザが第２のパスワードを入力した場合、提示部２０３は、第２種データ２０２ｂに分類された電子メールの受信履歴２７１、２７３のみが含まれる受信メールテーブル２７（図１４）を提示する。また、ユーザが入力した記号列３０１がいずれのパスワードとも一致しない場合は、提示部２０３は、図７のメッセージ２５を提示する。
【００９６】
受信メールテーブル２７が提示され、ユーザがタッチペン２２等により、受信メールテーブル２７に含まれる差出元アドレス２７ａのいずれかを選択すると（図１５では、差出元アドレス“YYY@yyy”を選択）、提示部２０３は、図１６に示すように、“YYY@yyy”が差出元である電子メール２８を第２の表示部２０に表示させる。すなわち、ユーザは、第１のパスワードを入力したときのみ、受信された全ての電子メールを閲覧することができる。
【００９７】
以下、実施形態４に係る情報処理装置２００の各部が行うメール取得処理の動作について説明する。情報処理装置２００に電源が投入され、ユーザにより受信メール取得の指示がなされると、ＣＰＵコア１０ａは、図１７のフローチャートに示すメール取得処理を開始する。
【００９８】
取得部２０４は、所定のプロトコルに従って、サーバに接続する（ステップＳ４０１）。そして、取得部２０４は、サーバにユーザ宛のメールがあるかどうかを判断する（ステップＳ４０２）。取得部２０４が、サーバにユーザ宛のメールがあると判断した場合（ステップＳ４０２；Ｙｅｓ）、取得部２０４は、当該メールをサーバから受信する（ステップＳ４０３）。一方、取得部２０４がサーバにユーザ宛のメールが無いと判断した場合（ステップＳ４０２；Ｎｏ）、メール取得処理は終了する。
【００９９】
取得部２０４が電子メールを受信すると、決定部２０５は、受信した電子メールの差出元アドレスが、第１又は第２のグループに属するか否かを判断する（ステップＳ４０４）。決定部２０５が、差出元アドレスは第１グループに属すると判断した場合（ステップＳ４０４；Ｙｅｓ）、決定部２０５は当該電子メールは第１種データ２０２ａであると決定し、保存部２０６は、受信した電子メールを第１種データ２０２ａとして記憶部２０２に記憶させる（ステップＳ４０５）。例えば、取得部２０４が差出元アドレス“YYY@yyy”の電子メールを受信したとすると、決定部２０５は、図１２のアドレステーブル２６を参照して、差出元アドレス“YYY@yyy”は第１グループに属すると判断する。そして、決定部２０５は、当該電子メールの種類を第１種データ２０２ａと決定し、保存部２０６は、当該電子メールを第１種データ２０２ａとして記憶部２０２に記憶させる。
【０１００】
一方、決定部２０５が、差出元アドレスは第１グループに属さないと判断した場合（ステップＳ４０４；Ｎｏ）、当該差出元アドレスが第２グループに属するか否かを判断する（ステップＳ４０６）。決定部２０５が、差出元アドレスは第２グループに属すると判断した場合（ステップＳ４０６；Ｙｅｓ）、決定部２０５は当該電子メールは第２種データ２０２ｂであると決定し、保存部２０６は、受信した電子メールを第２種データ２０２ｂとして記憶部２０２に記憶させる（ステップＳ４０７）。例えば、取得部２０４が差出元アドレス“XXX@xxx”の電子メールを受信したとすると、決定部２０５は、図１２のアドレステーブル２６を参照して、差出元アドレス“XXX@xxx”は第２グループに属すると判断する。そして、決定部２０５は、当該電子メールの種類を第２種データ２０２ｂと決定し、保存部２０６は、当該電子メールを第２種データ２０２ｂとして記憶部２０２に記憶させる。
【０１０１】
決定部２０５が、差出元アドレスは第２グループに属さないと判断した場合（ステップＳ４０６；Ｎｏ）、ＣＰＵコア１０ａは、図１８に示すようなメッセージ２９を第２の表示部２０に表示させ、ユーザに当該差出元アドレスを第１又は第２グループに設定するように促す。差出元アドレスが第１又は第２グループに設定された後はステップＳ４０４に戻り、決定部２０５が、差出元アドレスが第１グループに属するか否かの判断をする。例えば、取得部２０４が差出元アドレス“VVV@vvv”の電子メールを受信したとすると、ＣＰＵコア１０ａはメッセージ２９を表示させる。そして、タッチペン２２等でユーザが第１グループを示すボタン画像３０を選択すると、ＣＰＵコア１０ａは図１２のアドレステーブルに、差出元アドレス２６ａ“VVV@vvv”と、グループ２６ｂ“第１グループ”とを対応付けて登録する。登録後、決定部２０５は、差出元アドレス“VVV@vvv”が登録されたアドレステーブルを参照して、差出元アドレス“VVV@vvv”が第１グループに属するか否かの判断をする。
【０１０２】
本実施形態によれば、電子メールの受信の度に設定を行わなくても、電子メールを秘匿にする設定をすることができる。
【産業上の利用可能性】
【０１０３】
本発明によれば、第三者にデータ閲覧用のパスワードの入力を強要された場合であっても、秘匿にすべきデータができるだけ漏洩しないようにするのに好適な情報処理装置、処理方法、ならびに、プログラムを提供することができる。
【符号の説明】
【０１０４】
１  携帯型情報処理装置
１０  処理制御部
１０ａ  ＣＰＵコア
１０ｂ  画像処理部
１０ｃ  ＶＲＡＭ
１０ｄ  ＷＲＡＭ
１０ｅ  ＬＣＤコントローラ
１０ｆ  タッチパネルコントローラ
１１  コネクタ
１２  カートリッジ
１２ａ  ＲＯＭ
１２ｂ  ＲＡＭ
１３  無線通信部
１４  通信コントローラ
１５  サウンドアンプ
１６  スピーカ
１７  マイク
１８  操作キー
１８ａ  方向キー
１８ｂ  ボタン
１９  第１の表示部
２０  第２の表示部
２１  タッチパネル
２２  タッチペン
２３、２５、２９  メッセージ
２４  プレイ履歴テーブル
２４ａ  プレイ日時
２４ｂ  スコア
２４１、２４２、２４３、２４４  プレイ履歴
２６  アドレステーブル
２６ａ  差出元アドレス
２６ｂ  グループ
２７  受信メールテーブル
２７ａ  差出元アドレス
２７ｂ  受信日時
２７１、２７２、２７３  受信履歴
２８  電子メール
３０  ボタン画像
２００  情報処理装置
２０１  受付部
２０２  記憶部
２０２ａ  第１種データ
２０２ｂ  第２種データ
２０３  提示部
２０４  取得部
２０５  決定部
２０６  保存部
【図１】
2011191850.tif 000003
【図２】
2011191850.tif 000004
【図３】
2011191850.tif 000005
【図４】
2011191850.tif 000006
【図５】
2011191850.tif 000007
【図６】
2011191850.tif 000008
【図７】
2011191850.tif 000009
【図８】
2011191850.tif 000010
【図９】
2011191850.tif 000011
【図１０】
2011191850.tif 000012
【図１１】
2011191850.tif 000013
【図１２】
2011191850.tif 000014
【図１３】
2011191850.tif 000015
【図１４】
2011191850.tif 000016
【図１５】
2011191850.tif 000017
【図１６】
2011191850.tif 000018
【図１７】
2011191850.tif 000019
【図１８】
2011191850.tif 000020